(57)【要約】【課題】空気清浄機を家具等の間隙に配置した場合でも、空気の吸気効率低下を防止することができる空気清浄機を提供することを課題とする。【解決手段】吸気口５と排気口６とを有する本体ケース４と、本体ケース４内に設けられ、吸気口５と排気口６とを連通する空気流路７と、空気流路７に臨む本体ケース４内に配置されたフィルター８と、吸気口５から本体ケース４内に吸気した空気を、フィルター８を介して排気口６から排気する送風手段９とを備え、前記本体ケース４は、ケース本体とケース本体に着脱自在に装着される前ケース１とから構成され、吸気口５は、前ケース１の前面とケース本体の側面に形成され、ケース本体に対して前ケース１を前方へ移動自在に装着できるようにケース本体と前ケース１との間で移動手段を構成すると共に、移動手段により形成されるケース本体と前ケース１との隙間２５から空気を本体ケース４内に吸気できるようにする。【選択図】        図５
2005055019.tif 000002
【特許請求の範囲】
【請求項１】
吸気口と排気口とを有する本体ケースと、本体ケース内に設けられ、吸気口と排気口とを連通する空気流路と、空気流路に臨む本体ケース内に配置されたフィルターと、吸気口から本体ケース内に吸気した空気を、フィルターを介して排気口から排気する送風手段とを備え、前記本体ケースは、ケース本体とケース本体に着脱自在に装着される前ケースとから構成され、吸気口は、前ケースの前面とケース本体の側面に形成され、ケース本体に対して前ケースを前方へ移動自在に装着できるようにケース本体と前ケースとの間で移動手段を構成すると共に、移動手段による前ケースの前方への移動により形成されるケース本体と前ケースとの隙間から空気を本体ケース内に吸気できるようにしたことを特徴とする空気清浄機。
【請求項２】
吸気口と排気口とを有する本体ケースと、本体ケース内に設けられ、吸気口と排気口とを連通する空気流路と、空気流路に臨む本体ケース内に配置されたフィルターと、吸気口から本体ケース内に吸気した空気を、フィルターを介して排気口から排気する送風手段とを備え、前記本体ケースは、ケース本体とケース本体に着脱自在に装着される前ケースとから構成されると共に、吸気口は、前ケースの前面とケース本体の側面に形成され、ケース本体に、前ケース側に向かって突出する突条壁を形成すると共に、突条壁に、吸気用の開口部を形成し、ケース本体に対して前ケースを前方へ移動自在に装着できるようにケース本体と前ケースとの間で移動手段を構成すると共に、移動手段による前ケースの前方への移動により前記開口部を外気に連通させ、開口部から空気を本体ケース内に吸気できるようにしたことを特徴とする空気清浄機。
【請求項３】
前記移動手段は、突条壁の外壁と突条壁の外壁に対向する前ケースの内壁との間に形成された係合手段により構成されていることを特徴とする請求項２記載の空気清浄機。
【請求項４】
前記係合手段は、前ケースの移動方向に沿って複数段階設けられていることを特徴とする請求項３記載の空気清浄機。
【請求項５】
前記移動手段は、前ケースに突出形成された凸部の爪と、固定部材によってケース本体に固定された弾性部材との係合手段により構成されていることを特徴とする請求項１または請求項２記載の空気清浄機。
【請求項６】
前記弾性部材と固定部材とを一体に形成したことを特徴とする請求項５記載の空気清浄機。
【請求項７】
前記係合手段は、少なくとも前ケースの上部と前ケースの下部の左右２箇所に設けられ、前ケースの上部の弾性部材による弾性力によって凸部を介して前ケースを下方へ付勢すると共に、前ケースの下部の左右２箇所の弾性部材による弾性力によって凸部を介して前ケースを各々内側から外側へ付勢することを特徴とする請求項５または請求項６記載の空気清浄機。
【請求項８】
前記係合手段は、前ケースの移動方向に沿って複数段階設けられていることを特徴とする請求項５乃至請求項７の何れか１項に記載の空気清浄機。
【請求項９】
前記移動手段は、前ケースに突出形成された凸部とケース本体に形成された凹部との係合手段により構成されていることを特徴とする請求項１または請求項２記載の空気清浄機。
【請求項１０】
前記係合手段は、前ケースの移動方向に沿って複数段階設けられていることを特徴とする請求項９記載の空気清浄機。
【請求項１１】
前記係合手段は、凸部外周に形成された突出部と、凹部内面に形成された係合溝とにより構成されていることを特徴とする請求項９または請求項１０記載の空気清浄機。
【請求項１２】
前記係合手段は、凹部内面に形成された突出部と、凸部外周に形成された係合溝とにより構成されていることを特徴とする請求項９または請求項１０記載の空気清浄機。
【請求項１３】
前記係合手段は、凸部の溝部に装着された環状の弾性体と、凹部内面に形成された係合溝とにより構成されていることを特徴とする請求項９または請求項１０
記載の空気清浄機。
【請求項１４】
前記係合手段は、凸部外周に形成された突出部と、凹部内に挿入される弾性体の内面に形成された係合溝とにより構成されていることを特徴とする請求項９または請求項１０記載の空気清浄機。
【請求項１５】
前記係合手段は、凹部の外周を一部切り欠いた装着部に装着され、装着部を介して凹部内に臨む環状の弾性体と、凸部に形成された係合溝とにより構成されていることを特徴とする請求項９または請求項１０記載の空気清浄機。
【請求項１６】
前記移動手段は、前ケースとケース本体とを連結する連結具により構成されていることを特徴とする請求項１または請求項２記載の空気清浄機。
【請求項１７】
前記移動手段は、前ケースの側面外壁に形成された溝部と、ケース本体から前ケース側に向かって突出形成された爪部との係合により構成されていることを特徴とする請求項１または請求項２記載の空気清浄機。
【請求項１８】
前記移動手段は、前ケースの移動が複数段階調整できることを特徴とする請求項１６または請求項１７記載の空気清浄機。
【請求項１９】
前記ケース本体は、ケース本体より幅を狭く形成した後ケースを備え、後ケースに吸気口を形成したことを特徴とする請求項１乃至請求項１８の何れか１項に記載の空気清浄機。
【発明の詳細な説明】
【技術分野】
【０００１】
本発明は、空気を浄化する空気清浄機に関する。
【背景技術】
【０００２】
この種の空気清浄機は、前ケースの前面中央部に形成された吸気口と、前ケースと本体との間に形成される側面の吸気口から本体ケース内に空気を吸気し、吸気口と排気口とを連通する空気流路に臨むフィルターにより、本体ケース内に吸気した空気を浄化して排気口から排気するものが知られている（例えば、特許文献１参照）。
【０００３】
しかしながら、この空気清浄機を家具等の間隙に配置した場合、前ケース前面の吸気口から吸気される空気の流れが家具等による抵抗により悪くなる虞があるため、側面の吸気口からの吸気だけでは空気の吸気効率が低下してしまう欠点があった。
【特許文献１】特開２０００−１０２３２７号公報
【発明の開示】
【発明が解決しようとする課題】
【０００４】
本発明はこのような課題を解決するためになされたものであり、空気清浄機を家具等の間隙に配置した場合でも、空気の吸気効率低下を防止することができる空気清浄機を提供することを課題とする。
【課題を解決するための手段】
【０００５】
上記課題を解決するための第１の手段は、吸気口と排気口とを有する本体ケースと、本体ケース内に設けられ、吸気口と排気口とを連通する空気流路と、空気流路に臨む本体ケース内に配置されたフィルターと、吸気口から本体ケース内に吸気した空気を、フィルターを介して排気口から排気する送風手段とを備え、前記本体ケースは、ケース本体とケース本体に着脱自在に装着される前ケースとから構成され、吸気口は、前ケースの前面とケース本体の側面に形成され、ケース本体に対して前ケースを前方へ移動自在に装着できるようにケース本体と前ケースとの間で移動手段を構成すると共に、移動手段による前ケースの前方への移動により形成されるケース本体と前ケースとの隙間から空気を本体ケース内に吸気できるようにしたことを特徴とする。ここでいう隙間とは、ケース本体の端部と前ケースの端部とが離れて開口が形成された状態のことをいう。
【０００６】
上記課題を解決するための第２の手段は、吸気口と排気口とを有する本体ケースと、本体ケース内に設けられ、吸気口と排気口とを連通する空気流路と、空気流路に臨む本体ケース内に配置されたフィルターと、吸気口から本体ケース内に吸気した空気を、フィルターを介して排気口から排気する送風手段とを備え、前記本体ケースは、ケース本体とケース本体に着脱自在に装着される前ケースとから構成されると共に、吸気口は、前ケースの前面とケース本体の側面に形成され、ケース本体に、前ケース側に向かって突出する突条壁を形成すると共に、突条壁に、吸気用の開口部を形成し、ケース本体に対して前ケースを前方へ移動自在に装着できるようにケース本体と前ケースとの間で移動手段を構成すると共に、移動手段による前ケースの前方への移動により前記開口部を外気に連通させ、開口部から空気を本体ケース内に吸気できるようにしたことを特徴とする。
【０００７】
上記課題を解決するための第２の手段において、前記移動手段は、突条壁の外壁と突条壁の外壁に対向する前ケースの内壁との間に形成された係合手段により構成されてもよい。
【０００８】
さらに、係合手段は、前ケースの移動方向に沿って複数段階設けられていることが好ましい。
【０００９】
上記課題を解決するための第１の手段または第２の手段において、前記移動手段は、前ケースに突出形成された凸部の爪と、固定部材によってケース本体に固定された弾性部材との係合手段により構成されてもよい。
【００１０】
ここで、弾性部材と固定部材とを一体に形成してもよい。
【００１１】
また、係合手段は、少なくとも前ケースの上部と前ケースの下部の左右２箇所に設けられ、前ケースの上部の弾性部材による弾性力によって凸部を介して前ケースを下方へ付勢すると共に、前ケースの下部の左右２箇所の弾性部材による弾性力によって凸部を介して前ケースを各々内側から外側へ付勢することが好ましい。
【００１２】
さらに、この係合手段は、前ケースの移動方向に沿って複数段階設けられていることが好ましい。
【００１３】
上記課題を解決するための第１の手段または第２の手段において、前記移動手段は、前ケースに突出形成された凸部とケース本体に形成された凹部との係合手段により構成してもよい。
【００１４】
この係合手段は、凸部外周に形成された突出部と、凹部内面に形成された係合溝とにより構成してもよい。
【００１５】
逆に、係合手段は、凹部内面に形成された突出部と、凸部外周に形成された係合溝とにより構成してもよい。
【００１６】
さらに、この係合手段は、凸部の溝部に装着された環状の弾性体と、凹部内面に形成された係合溝とにより構成してもよい。
【００１７】
さらに、この係合手段は、凸部外周に形成された突出部と、凹部内に挿入される弾性体の内面に形成された係合溝とにより構成してもよい。
【００１８】
さらに、この係合手段は、凹部の外周を一部切り欠いた装着部に装着され、装着部を介して凹部内に臨む環状の弾性体と、凸部に形成された係合溝とにより構成してもよい。
【００１９】
上記課題を解決するための第１の手段または第２の手段において、前記移動手段は、前ケースとケース本体とを連結する連結具により構成してもよい。
【００２０】
上記課題を解決するための第１の手段または第２の手段において、前記移動手段は、前ケースの側面外壁に形成された溝部と、ケース本体から前ケース側に向かって突出形成された爪部との係合により構成してもよい。
【００２１】
上記課題を解決するための第１の手段において、前記ケース本体は、ケース本体より幅を狭く形成した後ケースを備え、後ケースに吸気口を形成してもよい。
【発明の効果】
【００２２】
本発明の請求項１の構成によれば、空気清浄機を家具等の間隙に配置した場合でも、前カバーを前方に移動させることにより、前カバーとケース本体との間に隙間を形成し、空気の吸気効率低下を防止することができる等の効果を奏する。
【００２３】
本発明の請求項２の構成によれば、前カバーを前方に移動させた場合でも、空気の吸気効率を低下させることなく、突条壁により本体ケース内へ指が挿入されることを防止することができる等の効果を奏する。
【００２４】
本発明の請求項３の構成によれば、本体ケースへの指の挿入を防止する突条壁を前ケースの移動手段に兼用することができ、構成を簡素化することができる等の効果を奏する。
【００２５】
本発明の請求項４の構成によれば、前ケースの移動を複数段階に調整できるようにしているため、空気清浄機を配置する家具等の間隙に応じて前ケースの移動を調整することができる等の効果を奏する。
【００２６】
本発明の請求項５の構成によれば、弾性部材の弾性力により前ケースをケース本体に移動自在に装着することができるため、前ケースを安定させてケース本体に装着することができる等の効果を奏する。
【００２７】
本発明の請求項６の構成によれば、弾性部材と固定部材とを一体に形成することにより、弾性部材の取付作業性を向上させることができる等の効果を奏する。
【００２８】
本発明の請求項７の構成によれば、前ケース上部の弾性部材により前ケースを下方に付勢することができ、前ケースの上端をケース本体に合わせることができると共に、前ケース下部の左右の弾性部材により前ケースを内側から外側へ付勢することができ、前ケースの一部を浮き上がらすことなく前ケースを左右のバランスよく中央に位置させることができる等の効果を奏する。
【００２９】
本発明の請求項８の構成によれば、前ケースの移動を複数段階に調整できるようにしているため、空気清浄機を配置する家具等の間隙に応じて前ケースの移動を調整することができる等の効果を奏する。
【００３０】
本発明の請求項９の構成によれば、簡単な構成により空気清浄機を家具等の間隙に配置した場合でも、前カバーを前方に移動させることにより、空気の吸気効率低下を防止することができる等の効果を奏する。
【００３１】
本発明の請求項１０の構成によれば、前ケースの移動を複数段階に調整できるようしているため、空気清浄機を配置する家具等の間隙に応じて前ケースの移動を調整することができる等の効果を奏する。
【００３２】
本発明の請求項１１の構成によれば、前カバーとケース本体との２つの部品だけで前ケースの移動手段を構成することができ、構成を簡素化することができる等の効果を奏する。
【００３３】
本発明の請求項１２の構成によれば、前カバーとケース本体との２つの部品だけで前ケースの移動手段を構成することができ、構成を簡素化することができる等の効果を奏する。
【００３４】
本発明の請求項１３の構成によれば、環状の弾性体により前カバーとケース本体とを係合させることができるため、弾性体を交換するだけで長期にわたり前カバーとケース本体とを安定させて係合させることができる等の効果を奏する。
【００３５】
本発明の請求項１４の構成によれば、弾性体を介して前ケースとケース本体とは係合し
ているため、ケース本体から前ケースに送風手段等の振動が伝わることを防ぐことができ、前ケースの振動を防止することができる等の効果を奏する。
【００３６】
本発明の請求項１５の構成によれば、環状の弾性体により前カバーとケース本体とを係合させることができるため、弾性体を交換するだけで長期にわたり前カバーとケース本体とを安定させて係合させることができる等の効果を奏する。
【００３７】
本発明の請求項１６の構成によれば、前ケースを前方へ移動させる際に、誤って前ケースがケース本体から外れることを防止することができる等の効果を奏する。
【００３８】
本発明の請求項１７の構成によれば、前ケースとケース本体の外周で係合させているため、前ケースとケース本体との段差が発生するのを防止することができる等の効果を奏する。
【００３９】
本発明の請求項１８の構成によれば、前ケースの移動を複数段階に調整できるようにしるため、空気清浄機を配置する家具等の間隙に応じて前ケースの移動を調整することができる等の効果を奏する。
【００４０】
本発明の請求項１９の構成によれば、空気清浄機を配置する家具等の間隙が狭く、前面及び側面に空間が極端に少ない場所に設置する場合でも、後ケースに形成した吸気口により空気の吸気効率低下を防止することができる等の効果を奏する。
【発明を実施するための最良の形態】
【００４１】
（第１実施形態）
本発明を実施するための最良の第１実施形態を図１乃至図１６に基づいて以下に詳述する。
【００４２】
本発明の空気清浄機は、ファンケース２と後ケース３で構成されるケース本体と、このケース本体の前面に着脱自在に装着される前ケース１とからなる本体ケース４と、前ケース１及びファンケース２に形成された吸気口５と、後ケース３に形成された排気口６と、本体ケース４内に設けられ、吸気口５と排気口６とを連通する空気流路７と、空気流路７に臨む本体ケース４内に配置されたフィルター８と、吸気口５から本体ケース４内に吸気した空気を、フィルター８を介して排気口６から排気する送風手段９と、本体ケース４を直立状に支持する脚１０とから構成されている（図１参照）。
【００４３】
ファンケース２は、本体ケース４内を前後に区画し、その後方側に後述する送風手段９を取付け、その前方側にフィルター８を収納すると共に、本体ケース４の上壁、底壁、左右両側壁をも一体に形成している。
【００４４】
前ケース１は、ファンケース２に着脱自在に装着されるようになっており、前ケース１の下部には、下方に向けて傾斜する傾斜部１１が突出形成されている。傾斜部１１には、前面下方に向けて開口する前面下部吸気口５ａが形成されている。前ケース１の中央には、前方に向けて開口する前面吸気口５ｂが形成されている（図１参照）。ケース本体即ち、ファンケース２の両側面には、両側面に向けて開口する側面吸気口５ｃが形成されている。側面吸気口５ｃ、前面下部吸気口５ａ及び前面吸気口５ｂにより吸気口５が構成され、各吸気口５は本体ケース４内で連通している（図２参照）。
【００４５】
また、前ケース１の上下には、図７に示すように前ケース１の裏面からケース本体即ちファンケース２側に向かって突出する凸部１２が各々左右２ヶ所形成されている。前ケース１の上部に形成された左右２ヶ所の凸部１２には、図８に示すように２つの爪部１３が
上方に向けて形成されている。また、前ケース１の下部に形成された左右２ヶ所の凸部１２には、図９に示すように２つの爪部１３が各々内側に向けて形成されている。
【００４６】
ファンケース２には、凸部１２に対向する位置に凹所１４が形成されている。凹所１４の底面の外壁には突部１５が形成されている。前ケース１の上部に形成された凸部１２に対向する凹所１４には上方に切欠部１６を設けている。前ケース１の下部に形成された凸部１２に対向する凹所１４には各々内側に切欠部１６を設けている。凹所１４の外壁には係合部１７を有する金属製の略Ｌ字状の弾性部材１８が、その係合部１７が切欠部１６を介して凹所１４内に臨む位置に、固定部材であるナット１９を突部１５に圧入することにより固定されている。また、ファンケース２の両側面には、突条壁２０が前ケース１側に向かって突出形成されている。突条壁２０には側面吸気口５ｃに連通する開口部２１が形成されている。
【００４７】
各吸気口５から本体ケース４内に吸気された空気が通過するフィルター８は、空気中の塵埃を除去する集塵フィルター８ａと空気中の臭いを脱臭する脱臭フィルター８ｂとから構成され、上流側に集塵フィルター８ａが位置するようにファンケース２に着脱自在に装着されている。フィルター８は、前ケース１を取り外すと簡単に交換できるようになっている。
【００４８】
送風手段９は、羽根車２２と羽根車２２を駆動するモータ２３とから構成され、フィルター８より下流側のファンケース２に固定されている。後ケース３の上方には、排気口６が形成されている。本体ケース４の前面上部には、操作パネル２４が配置されている。操作パネルには、モータ２３の運転等を操作する操作部２４ａとモータ２３の運転状態等を表示する表示部２４ｂが配置されている。
【００４９】
このように構成された空気清浄機では、操作部２４ａを操作するとモータ２３が駆動を開始すると共に、羽根車２２が回転を始める。羽根車２２が回転することにより室内の空気は前面下部吸気口５ａ、前面吸気口５ｂ及び側面吸気口５ｃを介して本体ケース４内に取り込まれ、フィルター８を通過する際に空気は浄化されと共に脱臭され、排気口６を介して本体ケース４外に排気される。
【００５０】
前面下部吸気口５ａにより本体ケース４の前面下部から空気を吸気することができるため、灰皿を本体ケース４の前面下部に置いて煙草に火を付けた場合でも、灰皿に置かれている煙草から立ち上る煙を効率よく吸い込むことができ、部屋中に拡散する煙の量を減少させることができる。また、人の口から吐き出され部屋中に拡散する煙草の煙は、前面吸気口５ｂ及び側面吸気口５ｃにより効率よく吸い込むことができる。
【００５１】
この結果、部屋で煙草を吸った際には、灰皿に置かれた煙草から立ち上る煙と、人の口から吐き出される煙とを同時に効率よく吸気することができるため、空気清浄機の運転時間を短縮化することができる。
【００５２】
この空気清浄機を家具等の間隙に配置する際には、前ケース１の前面吸気口５ｂ及び前面下部吸気口５ａから吸気される空気の流れが家具等による抵抗により悪くなる場合がある。この時、側面吸気口５ｃからの吸気だけでは空気の吸気効率が低下してしまう虞がある。
【００５３】
これに対して、第１実施形態では、凸部１２の爪部１３と弾性部材１８の係合部１７との係合力により、前ケース１を前方へ移動自在に構成している。通常状態では前ケース１とケース本体であるファンケース２とは密接しており、前ケース１とファンケース２との間には間隙は生じない（図４、図８、図９参照）。空気清浄機を家具等の間隙に配置し、
前ケース１からの吸気が困難になる場合には、前ケース１を前方に引き出し凸部１２のもう一つの爪部１３に弾性部材１８の係合部１７を係合させて前ケース１を前方に移動させた状態で保持する（図５、図６、図１０参照）。
【００５４】
この結果、側面吸気口５ｃからだけではなく、前ケース１とファンケース２との間に形成された隙間２５から本体ケース４内に吸気することができるため、吸気効率低下を防止することができる。前ケース１とファンケース２との間に形成された隙間２５から本体ケース４内に指等が挿入される虞が生じるが、ファンケース２には前ケース１側に向けて突条壁２０が突出形成されているため、突条壁２０により指等の挿入を防止することができる。突条壁２０により前ケース１とファンケース２との間の隙間２５から吸気される空気の流れが悪くなる虞があるが、突条壁２０には吸気用の開口部２１を形成しているため、開口部２１により突条壁２０が空気の流れに抵抗になるようなことはない。
【００５５】
前ケース１の上部の凸部１２は、図８に示すように、弾性部材１８により下方に付勢されているため、前ケース１には下方への付勢力が働いている。この結果、前ケース１上端においてファンケース２との位置ずれが生じることはなく、外観上問題が生じることはない。前ケース１下端においてはファンケース２との位置ずれが生じる虞があるが、外観上見え難い場所であるので外観には直接影響しない。
【００５６】
前ケース１の下部の凸部１２は、図９に示すように、弾性部材１８により各々内側から外側に付勢されているため、前ケース１には内側から外側への付勢力が働いている。この結果、前ケース１に外側から内側への付勢力が働いた場合のように、前ケース１の中央部が膨れてファンケース２から浮き上がることなく、前ケース１をファンケース２密接させると共に、左右バランスよく中央に位置させることができる。
【００５７】
尚、第１実施形態では、凸部１２の爪部１３は図１１に示すように角状の爪にしたが、これに限定されるものではない。図１２に示すように円弧状の爪、あるいは、図１３に示すように凸部１２の全周に爪部１３を形成してもよい。
【００５８】
また、第１実施形態では、弾性部材１８をナット１９により凹所１４の外壁に装着したが、図１４に示すように、弾性体部材１８とナット１９とを一体化した弾性部材完成品２６を構成し、弾性部材完成品２６を直接凹所１４の外壁に装着してもよい（図１５参照）。これにより、構成を簡素化することができると共に、取付作業性を向上させることができる。
【００５９】
また、第１実施形態では、前ケース１は前方へ一段階移動できるように構成したが、図１６及び図１７に示すように、弾性部材１８の係合部１７に係合する凸部１２の爪部１３を３ヶ所以上設け、前ケース１の前方への移動を複数段階に調整できるように構成してもよい。この構成とすることにより、空気清浄機を家具等の間隙において使用する場合には家具等の間隙に応じて前ケースの移動を調整することができる。
【００６０】
（第２実施形態）
図１８乃至図２１は本発明の第２実施形態を示している。第１実施形態と同一部品については同一符号を付して説明を省略する。
【００６１】
第１実施形態では、前ケース１の爪部１３とファンケース２に装着した弾性部材１８の弾性力により前ケース１を前方へ移動自在に構成したが、第２実施形態では、本体ケース４の突条壁２０と前ケース１との間で形成した係合手段により前ケース１を前方へ移動自在に構成している。
【００６２】
ファンケース２には第１実施形態と同様に突条壁２０が形成されていると共に、突条壁２０には開口部２１が形成されている。突条壁２０の外壁には、係合凹部２７が前ケース１の移動方向に沿って２ヶ所形成されている。係合凹部２７に対向する前ケース１の内壁には、係合凹部２７に弾性係合する係合凸部２８が形成されている。通常状態では、係合凸部２８はファンケース２側の係合凹部２７に係合し、前ケース１とファンケース２との間には隙間は生じない（図１８、図２０参照）。
【００６３】
この空気清浄機を家具等の間隙に配置する際には、前ケース１を前方に引き出し係合凸部２８を前ケース１側の係合凹部２７に係合させて前ケース１を前方へ移動させた状態で保持する（図１９、図２１参照）。この結果、側面吸気口５ｃからだけではなく、前ケース１とファンケース２との間に形成された隙間２５からも本体ケース４内に吸気することができるため、吸気効率低下を防止することができる。
【００６４】
第１実施形態のように別途弾性部材１８を用いることなく、前ケース１とファンケース２との間で構成した係合手段により前ケース１を前方へ移動自在に保持することができるため、構成を簡素化することができる。ファンケース２には突条壁２０が突出形成されているため、突条壁２０により指等の挿入を防止することができる。また、開口部２１により突条壁２０が空気の流れに抵抗になるようなことはない。尚、第２実施形態においても第１実施形態と同様に前ケース１の前方への移動を複数段階に調整できるように構成してもよい。また、前ケース１に係合凹部２７を設けると共に、ファンケース２に係合凸部２８を設けた構成にしてもよい。
【００６５】
（第３実施形態）
図２２及び図２３は本発明の第３実施形態を示している。第１実施形態及び第２実施形態と同一部品については同一符号を付して説明を省略する。
【００６６】
第３実施形態では、前ケース１の凸部１２の中央部に切込部２９を設け、凸部１２外周を内側へ弾性変形可能に構成すると共に、切込部２９に対応する位置の凸部１２外周に外方に向かって突出する突出部３０を形成している。ファンケース２には凸部１２が挿入可能な凹部３１が前ケース１に向かって凹設されると共に、凹部３１内壁には前ケース１の移動方向に沿って係合溝３２が２ヶ所形成されている。通常状態では、突出部３０は凹部３１の奥側の係合溝３２に係合し、前ケース１とファンケース２との間には隙間は生じない（図２２参照）。
【００６７】
この空気清浄機を家具等の間隙に配置する際には、前ケース１を前方に引き出し突出部３０を凹部３１の前ケース１側の係合溝３２に係合させて前ケース１を前方へ移動させた状態で保持する（図２３参照）。この結果、側面吸気口５ｃからだけではなく、前ケース１とファンケース２との間に形成された隙間２５からも本体ケース４内に吸気することができるため、吸気効率低下を防止することができる。
【００６８】
第１実施形態のように別途弾性部材１８を用いることなく、前ケース１とファンケース２との間で構成した係合手段により前ケース１を前方へ移動自在に保持することができるため、構成を簡素化することができる。尚、第３実施形態においても第１実施形態と同様に前ケース１の前方への移動を複数段階に調整できるように構成してもよい。
【００６９】
（第４実施形態）
図２４及び図２５は本発明の第４実施形態を示している。第１実施形態乃至第３実施形態と同一部品については同一符号を付して説明を省略する。
【００７０】
第４実施形態では、前ケース１の凸部１２の中央部に切込部２９を設け、凸部１２外周
を内側へ弾性変形可能に構成すると共に、切込部２９に対応する位置の凸部１２外周に係合溝３２ａを前ケース１の移動方向に沿って２ヶ所形成している。ファンケース２には凸部１２が挿入可能な凹部３１が前ケースに向かって凹設されると共に、凹部３１内壁には内側に向かって突出する突出部３０ａが前ケース１の移動方向に沿って２ヶ所形成されている。通常状態では、２ヶ所の係合溝３２ａは２箇所の突出部３０ａに係合し、前ケース１とファンケース２との間には隙間２５は生じない（図２４参照）。
【００７１】
この空気清浄機を家具等の間隙に配置する際には、前ケース１を前方へ引き出し凸部１２の先端側の係合溝３２ａを凹部３１の前ケース１側の突出部３０ａに係合させて前ケース１を前方へ移動させた状態で保持する（図２５参照）。この結果、側面吸気口５ｃからだけではなく、前ケース１とファンケース２との間に形成された隙間２５からも本体ケース４内に吸気することができるため、吸気効率低下を防止することができる。
【００７２】
第１実施形態のように別途弾性部材１８を用いることなく、前ケース１とファンケース２との間で構成した係合手段により前ケース１を前方に移動自在に保持することができるため、構成を簡素化することができる。尚、第４実施形態においても第１実施形態と同様に前ケース１の前方への移動を複数段階に調整できるように構成してもよい。
【００７３】
（第５実施形態）
図２６及び図２７は本発明の第５実施形態を示している。第１実施形態乃至第４実施形態と同一部品については同一符号を付して説明を省略する。
【００７４】
第５実施形態では、前ケース１の凸部１２外周に溝部３３が形成されている。溝部３３には環状の弾性体３４が装着される。ファンケース２には凸部１２が挿入可能な凹部３１が前ケースに向かって凹設されると共に、凹部３１内壁には係合溝３２が前ケース１の移動方向に沿って２ヶ所形成されている。通常状態では、弾性体３４は凹部３１の奥側の係合溝３２に弾性係合し、前ケース１とファンケース２との間には間隙は生じない（図２６参照）。
【００７５】
この空気清浄機を家具等の間隙に配置する際には、前ケース１を前方へ引き出し弾性体３４を凹部３１の前ケース１側の係合溝３２に係合させて前ケース１を前方へ移動させた状態で保持する（図２７参照）。この結果、側面吸気口５ｃからだけではなく、前ケース１とファンケース２との間に形成された隙間２５からも本体ケース４内に吸気することができるため、吸気効率低下を防止することができる。
【００７６】
前ケース１とファンケース２との係合は、環状の弾性体３４の弾性力により行っているため、長期の使用により前ケース１とファンケース２との係合力が低下した場合には、環状の弾性体３４を交換するだけで、前ケース１とファンケース２との係合力を復帰させることができる。この結果、前ケース１とファンケース２との係合を長期にわたり良好に継続させることができる。尚、第５実施形態においても第１実施形態と同様に前ケース１の前方への移動を複数段階に調整できるように構成してもよい。
【００７７】
（第６実施形態）
図２８及び図２９は本発明の第６実施形態を示している。第１実施形態乃至第５実施形態と同一部品については同一符号を付して説明を省略する。
【００７８】
第６実施形態では、前ケース１の凸部１２の中央部に切込部２９を設け、凸部１２外周を内側へ弾性変形可能に構成すると共に、切込部２９に対応する位置の凸部１２外周に外方に向かって突出する突出部３０が形成されている。ファンケース２には、凸部１２が挿入可能な凹部形状の弾性体３４ａを収納する無底の凹部３１ａが形成されている。弾性体
３４ａの内壁には係合溝３２ｂが前ケース１の移動方向に沿って２ヶ所形成されている。通常状態では、突出部３０は奥側の係合溝３２ｂに弾性係合し、前ケース１とファンケース２との間には隙間は生じない（図２８参照）。
【００７９】
この空気清浄機を家具等の間隙に配置する際には、前ケース１を前方へ引き出し突出部３０を前ケース１側の係合溝３２ｂに係合させて前ケース１を前方へ移動させた状態で保持する（図２９参照）。この結果、側面吸気口５ｃからだけではなく、前ケース１とファンケース２との間に形成された隙間２５からも本体ケース４内に吸気することができるため、吸気効率低下を防止することができる。
【００８０】
前ケース１を前方へ引き出した際には、前ケース１は弾性体３４ａを介してファンケース２に係合するため、ファンケース２の振動が前ケース１に伝わることはなく、前ケース１にびびりは生じない。尚、第６実施形態においても第１実施形態と同様に前ケース１の前方への移動を複数段階に調整できるように構成してもよい。また、弾性体３４ａに突出部３０を設けると共に、凸部１２に係合溝３２ｂを設けた構成にしてもよい。
【００８１】
（第７実施形態）
図３０乃至図３２は本発明の第７実施形態を示している。第１実施形態乃至第６実施形態と同一部品については同一符号を付して説明を省略する。
【００８２】
第７実施形態では、前ケース１の凸部１２外周に係合溝３２ａが前ケース１の移動方向に沿って２ヶ所形成されている。ファンケース２には凸部１２が挿入可能な凹部３１が前ケースに向かって凹設されると共に、凹部３１外周は内周に連通するまで部分的に切り欠かれた装着部３５が形成されている。環状の弾性体３４は装着部３５に装着され、装着部３５を介して弾性体３４の一部は凹部３１内に臨んでいる（図３２参照）。通常状態では、前ケース１側の係合溝３２ａが凹部３１内に臨んだ弾性体３４に係合し、前ケース１とファンケース２との間には隙間は生じない（図３０参照）。
【００８３】
この空気清浄機を家具等の間隙に配置する際には、前ケース１を前方へ引き出し凸部１２の先端側の係合溝３２ａに凹部３１内に臨んだ弾性体３４を係合させて前ケース１を前方へ移動させた状態で保持する（図３１参照）。この結果、側面吸気口５ｃからだけではなく、前ケース１とファンケース２との間に形成された隙間２５からも本体ケース４内に吸気することができるため、吸気効率低下を防止することができる。
【００８４】
前ケース１とファンケース２との係合は、環状の弾性体３４の弾性力により行っているため、長期の使用により前ケース１とファンケース２との係合力が低下した場合には、環状の弾性体３４を交換するだけで、前ケース１とファンケース２との係合力を復帰させることができる。この結果、前ケース１とファンケース２との係合を長期にわたり良好に継続させることができる。尚、第７実施形態においても第１実施形態と同様に前ケース１の前方への移動を複数段階に調整できるように構成してもよい。
【００８５】
（第８実施形態）
図３３及び図３４は本発明の第８実施形態を示している。第１実施形態乃至第７実施形態と同一部品については同一符号を付して説明を省略する。
【００８６】
第８実施形態では、ファンケース２には第１実施形態と同様に突条壁２０が形成されていると共に、突条壁２０には開口部２１が形成されている。前ケース１の側面には、垂直方向に案内溝３６が穿設されている。案内溝３６の両端及びその間の数箇所には略円形の係止部３７が形成されている。前ケース１とファンケース２とを連結する一対の連結具３８は、各々一端がファンケース２に固定軸３９により回動自在に枢支固定されると共に、各々の連結具３８が交差した状態で他端は回動軸４０によって案内溝３６内に移動自在に支持されている。前ケース１は図示しない付勢手段によりファンケース２側に付勢されている。通常状態では、回動軸４０が案内溝３６の両端の係止部３７に係合し、前ケース１とファンケース２との間には隙間は生じない（図３３参照）。
【００８７】
この空気清浄機を家具等の間隙に配置する際には、前ケース１を前方に引き出し連結具３８の回動軸４０を各々案内溝３６の内側に移動させて任意の係止部３７に係合させて前ケース１を前方に移動させた状態で保持する（図３４参照）。この結果、側面吸気口５ｃからだけではなく、前ケース１とファンケース２との間に形成された隙間２５からも本体ケース４内に吸気することができるため、吸気効率低下を防止することができる。
【００８８】
第８実施形態では、前ケース１の前方への移動を複数段階設けた場合でも、前ケース１の移動方向に沿って複数段階の係合手段を設ける必要がなく、垂直方向に穿設された案内溝３６と、その周囲の複数の係止部３７により構成することができるため、構成を簡素化することができる。回動軸４０は案内溝３６内で支持されているため、前ケース１を前方へ移動させる際に、誤って前ケース１がファンケース２から外れてしまうようなことは発生しない。
【００８９】
（第９実施形態）
図３５乃至図３７は本発明の第９実施形態を示している。第１実施形態乃至第８実施形態と同一部品については同一符号を付して説明を省略する。
【００９０】
第９実施形態では、前ケース１の側面全周には、前ケース１のファンケース２との当接面から連通する凹溝４１が形成されている。凹溝４１には前ケース１の移動方向に沿って２ヶ所の係合凹部２７ａが形成されている。ファンケース２には、係合凹部２７ａに係合する係合凸部２８ａを有する嵌合部４２が形成されている。嵌合部４２の中央部には切込部２９が形成されており、係合凸部２８ａは内側に弾性変形可能に構成されている。通常状態では、２ヶ所の係合凸部２８ａは２ヶ所の係合凹部２７ａに係合し、前ケース１とファンケース２との間には隙間は生じない（図３５及び図３６参照）。
【００９１】
この空気清浄機を家具等の間隙に配置する際には、前ケース１を手前へ引いて嵌合部４２の先端側の係合凸部２８ａをファンケース２側の係合凹部２７ａに係合させて前ケース１を前方に移動させた状態で保持する（図３７参照）。この結果、側面吸気口５ｃからだけではなく、前ケース１とファンケース２との間に形成された隙間２５からも本体ケース４内に吸気することができるため、吸気効率低下を防止することができる。
【００９２】
前ケース１の外周にファンケース２の嵌合部４２を係合させることにより、前ケース１とファンケース２との位置ずれを防止することができる。嵌合部４２を全周に設けているため、前ケース１が広範囲にわたり保持され、前ケース１の保持力を向上させることができる。尚、第９実施形態においても第１実施形態と同様に前ケース１の前方への移動を複数段階に調整できるように構成してもよい。また、嵌合部４２を前ケース１に設けると共に、凹溝４１をファンケース２に設ける構成にしてもよい。
【００９３】
（第１０実施形態）
図３８は本発明の第１０実施形態を示している。第１実施形態乃至第９実施形態と同一部品については同一符号を付して説明を省略する。
【００９４】
第１０実施形態では、ケース本体即ちファンケース２より幅を狭く形成した後ケース３にも後面吸気口５ｄを設けた構成になっている。この構成により、図３８に示すように、空気清浄機を前後方向及び左右方向に余裕のない空間に設置する際には、前ケース１及び
奥側のファンケース２から吸気を殆んど行うことができなくなるが、後ケース３の後面吸気口５ｄから吸気を行うことができるため、吸気効率の低下を防止することができる。
【００９５】
（第１１実施形態）
図３９は本発明の第１１実施形態を示している。第１実施形態乃至第１０実施形態と同一部品については同一符号を付して説明を省略する。
【００９６】
第１実施形態乃至第９実施形態においては、前ケース１をファンケース２に対して左右均一に前方へ移動させたが、第１１実施形態では、前ケース１の片側だけを前方に移動させている。こうすることにより、空気清浄機を家具等の間隙に配置する際には、前もって前ケース１を前方へ移動させることなく家具等の間隙に一旦設置した後に、設置空間に応じて手前側の前ケース１だけを手前に移動させるだけで、吸気効率の低下を防止することができる。この結果、設置作業性を向上させることができる。前ケース１を前方に移動させる移動手段は、第１実施形態乃至第９実施形態の何れかの移動手段でよい。
【図面の簡単な説明】
【００９７】
【図１】本発明を実施するための最良の第１実施形態の空気清浄機の側断面図である。
【図２】同空気清浄機を上方から見た断面図である。
【図３】同空気清浄機の正面図である。
【図４】同空気清浄機の側面図である。
【図５】同空気清浄機を上方から見た断面図で、前ケースを前方へ移動させた状態を示す。
【図６】同空気清浄機の側面図で、前ケースを前方へ移動させた状態を示す。
【図７】同空気清浄機の前ケースの裏面図である。
【図８】図６のＡ−Ａ断面図で、前ケースをファンケースに装着した状態を示す。
【図９】図６のＢ−Ｂ断面図で、前ケースをファンケースに装着した状態を示す。
【図１０】図８において前ケースを前方へ移動させた状態を示す図である。
【図１１】同空気清浄機の凸部の爪部の一つの形状を示す図である。
【図１２】同空気清浄機の凸部の爪部の他の形状を示す図である。
【図１３】同空気清浄機の凸部の爪部の他のもう一つの形状を示す図である。
【図１４】同空気清浄機の弾性部材の他の形状を示す断面図である。
【図１５】同空気清浄機の他の形状の弾性部材を装着した状態を示す断面図である。
【図１６】同空気清浄機の前ケースの前方への移動を複数段階に構成した状態を示す断面図である。
【図１７】同空気清浄機の前ケースの前方への移動を複数段階に構成した状態を示す断面図で、前ケースを前方へ移動させた状態を示す。
【図１８】本発明を実施するための最良の第２実施形態の空気清浄機の側面図である。
【図１９】同空気清浄機の側面図で、前ケースを前方へ移動させた状態を示す。
【図２０】図１８における前ケースとファンケースとの係合状態を示す断面図である。
【図２１】図１９における前ケースとファンケースとの係合状態を示す断面図である。
【図２２】本発明を実施するための最良の第３実施形態の空気清浄機の前ケースとファンケースとの係合状態を示す断面図である。
【図２３】同空気清浄機の前ケースとファンケースとの係合状態を示す断面図で、前ケースを前方へ移動させた状態を示す。
【図２４】本発明を実施するための最良の第４実施形態の空気清浄機の前ケースとファンケースとの係合状態を示す断面図である。
【図２５】同空気清浄機の前ケースとファンケースとの係合状態を示す断面図で、前ケースを前方へ移動させた状態を示す。
【図２６】本発明を実施するための最良の第５実施形態の空気清浄機の前ケースとファンケースとの係合状態を示す断面図である。
【図２７】同空気清浄機の前ケースとファンケースとの係合状態を示す断面図で、前ケースを前方へ移動させた状態を示す。
【図２８】本発明を実施するための最良の第６実施形態の空気清浄機の前ケースとファンケースとの係合状態を示す断面図である。
【図２９】同空気清浄機の前ケースとファンケースとの係合状態を示す断面図で、前ケースを前方へ移動させた状態を示す。
【図３０】本発明を実施するための最良の第７実施形態の空気清浄機の前ケースとファンケースとの係合状態を示す断面図である。
【図３１】同空気清浄機の前ケースとファンケースとの係合状態を示す断面図で、前ケースを前方へ移動させた状態を示す。
【図３２】図３０のＣ−Ｃ断面図である。
【図３３】本発明を実施するための最良の第８実施形態の空気清浄機の前ケースとファンケースとの係合状態を示す側面図である。
【図３４】同空気清浄機の前ケースとファンケースとの係合状態を示す側面図で、前ケースを前方へ移動させた状態を示す。
【図３５】本発明を実施するための最良の第９実施形態の空気清浄機の前ケースとファンケースとの係合状態を示す斜視図である。
【図３６】同空気清浄機の前ケースとファンケースとの係合状態を示す側面図である。
【図３７】同空気清浄機の前ケースとファンケースとの係合状態を示す側面図で、前ケースを前方へ移動させた状態を示す。
【図３８】本発明を実施するための最良の第１０実施形態の空気清浄機を上方から見た断面図である。
【図３９】本発明を実施するための最良の第１１実施形態の空気清浄機を上方から見た断面図である。
【符号の説明】
【００９８】
４    本体ケース
５    吸気口
６    排気口
７    空気流路
８    フィルター
９    送風手段
２５  隙間
【図１】
2005055019.tif 000003
【図２】
2005055019.tif 000004
【図３】
2005055019.tif 000005
【図４】
2005055019.tif 000006
【図５】
2005055019.tif 000007
【図６】
2005055019.tif 000008
【図７】
2005055019.tif 000009
【図８】
2005055019.tif 000010
【図９】
2005055019.tif 000011
【図１０】
2005055019.tif 000012
【図１１】
2005055019.tif 000013
【図１２】
2005055019.tif 000014
【図１３】
2005055019.tif 000015
【図１４】
2005055019.tif 000016
【図１５】
2005055019.tif 000017
【図１６】
2005055019.tif 000018
【図１７】
2005055019.tif 000019
【図１８】
2005055019.tif 000020
【図１９】
2005055019.tif 000021
【図２０】
2005055019.tif 000022
【図２１】
2005055019.tif 000023
【図２２】
2005055019.tif 000024
【図２３】
2005055019.tif 000025
【図２４】
2005055019.tif 000026
【図２５】
2005055019.tif 000027
【図２６】
2005055019.tif 000028
【図２７】
2005055019.tif 000029
【図２８】
2005055019.tif 000030
【図２９】
2005055019.tif 000031
【図３０】
2005055019.tif 000032
【図３１】
2005055019.tif 000033
【図３２】
2005055019.tif 000034
【図３３】
2005055019.tif 000035
【図３４】
2005055019.tif 000036
【図３５】
2005055019.tif 000037
【図３６】
2005055019.tif 000038
【図３７】
2005055019.tif 000039
【図３８】
2005055019.tif 000040
【図３９】
2005055019.tif 000041